(57)【要約】【課題】迷光の発生を抑えるとともに、前照灯の光学系にオーバーヘッドサイン照明用の光学素子を設けずに済ませる。【解決手段】光源装置１は、基材１０と、基材１０上に実装された発光源チップ１１と、発光源チップ１１を囲繞するようにして基材１０上に設けられ、発光源チップ１１から離間した枠部１２と、枠部１２の内面の一部に形成され、発光源チップ１１によって発せられた光の反射を抑制する反射防止面１４〜１６と、枠部１２の内面の残りの一部に形成され、発光源チップ１１によって発せられた光を反射する反射面１３と、を備える。発光源チップ１１によって発せられた光がロービーム又はフォグビームに利用され、発光源チップ１１によって発せられて反射面１３によって反射された光がオーバーヘッドサインの照明用のビームとして利用される。【選択図】図１
2015185312.tif 000002
【特許請求の範囲】
【請求項１】
基材と、
前記基材上に実装された発光源チップと、
前記基材上に凸状に設けられているとともに前記基材に沿って条状に設けられ、前記発光源チップから離間した突条と、
前記突条の前記発光源チップ側の面に形成され、前記発光源チップによって発せられた光を反射する反射面と、を備え、
前記発光源チップによって発せられた光がロービーム又はフォグビームに利用され、
前記発光源チップによって発せられて前記反射面によって反射された光がオーバーヘッドサインの照明用のビームとして利用されることを特徴とする車両用前照灯の光源装置。
【請求項２】
前記基材上に凸状に設けられているとともに前記突条の両端を結ぶように前記基材に沿って設けられることによって、前記発光源チップを囲う枠を前記突条とともに形成し、前記発光源チップから離間した囲み部と、
前記囲み部の前記発光源チップ側の面に形成され、前記発光源チップによって発せられた光の反射を抑制する反射防止面と、を更に備えることを特徴とする請求項１に記載の車両用前照灯の光源装置。
【請求項３】
前記反射面が白色の面であり、前記反射防止面が黒色の面であることを特徴とする請求項２に記載の車両用前照灯の光源装置。
【請求項４】
前記基材上に凸状に設けられているとともに前記突条の両端を結ぶように前記基材に沿って設けられることによって、前記発光源チップを囲う枠を前記突条とともに形成し、前記発光源チップから離間した囲み部と、
前記囲み部の前記発光源チップ側の面と前記発光源チップとの間に充填された遮光部と、を更に備えることを特徴とする請求項１に記載の車両用前照灯の光源装置。
【請求項５】
前記反射面が白色の面であり、前記遮光部が母材に酸化チタンを分散させたものであることを特徴とする請求項４に記載の車両用前照灯の光源装置。
【請求項６】
前記反射面が車両前照灯の光軸に関する径方向と平行である
前記発光源チップの光軸方向に向かって前記発光源チップを見ると、前記発光源チップが前記反射面に平行な辺を有した四角形に形成されていることを特徴とする請求項１から５の何れか一項に記載の車両用前照灯の光源装置。
【請求項７】
請求項１から６の何れか一項に記載の車両用前照灯の光源装置と、
前記発光源チップによって発せられた光を車両前方に配光することによってロービーム又はフォグビームを車両前方へ照射し、前記発光源チップによって発せられて前記反射面によって反射された光を車両前方に配光することによってオーバーヘッドサインの照明用のビームを車両前方へ照射する光学系と、を備えることを特徴とする車両用前照灯。
【発明の詳細な説明】
【技術分野】
【０００１】
本発明は、車両用前照灯及びそれに用いられる光源装置に関する。
【背景技術】
【０００２】
特許文献１，２の記載によれば、凹部が板状部材に形成され、ＬＥＤがその凹部の底に実装されている。特許文献１に記載の技術では、金属光沢を有した反射層が凹部の側面に形成され、特許文献２に記載の技術では、凹部の側面が黒色であるとともに鏡面仕上げされている。
【０００３】
特許文献３には、ＬＥＤをパッケージしてなる光源装置を光源として用いた車両用のリフレクター型前照灯が開示されている。特許文献３の記載によれば、光源装置が天板の下面に設けられ、放物面系リフレクターが光源装置を下から覆うに設けられ、その放物面系リフレクターの前側が開口し、第二リフレクターが光源装置の前側であって天板の下面に設けられ、第二リフレクターが天板の下面に対して傾斜する。光源装置によって発せられた光が放物面系リフレクターによって反射されることによってロービームが車両前方に照射され、光源装置によって発せられた光が第二リフレクターによって反射された上で放物面系リフレクターによって反射されることによって頭上標識照明用のビームが車両前方に照射される。
【先行技術文献】
【特許文献】
【０００４】
【特許文献１】特開２００６−３３９３６２号公報
【特許文献２】実開平６−３４２７０号公報
【特許文献３】特許第４８５０７４３号公報
【発明の概要】
【発明が解決しようとする課題】
【０００５】
ところで、特許文献３に記載の技術では、放物面系リフレクターの他に第二リフレクターを設ける必要があり、車両用前照灯の光学系が複雑になる。また、光源装置はドーム型のＬＥＤパッケージであるため、そのドームの表面で迷光が発生し、その迷光がロービーム及びオーバーヘッドサイン照明用ビームに悪影響を与えてしまう。
そこで、本発明が解決しようとする課題は、迷光の発生を抑えることと、前照灯の光学系にオーバーヘッドサイン照明用の光学素子を設けずに済ませることである。
【課題を解決するための手段】
【０００６】
以上の課題を解決するべく、請求項１に係る発明は、基材と、前記基材上に実装された発光源チップと、前記基材上に凸状に設けられているとともに前記基材に沿って条状に設けられ、前記発光源チップから離間した突条と、前記突条の前記発光源チップ側の面に形成され、前記発光源チップによって発せられた光を反射する反射面と、を備え、前記発光源チップによって発せられた光がロービーム又はフォグビームに利用され、前記発光源チップによって発せられて前記反射面によって反射された光がオーバーヘッドサインの照明用のビームとして利用されることを特徴とする車両用前照灯の光源装置である。
【０００７】
請求項２に係る発明は、前記基材上に凸状に設けられているとともに前記突条の両端を結ぶように前記基材に沿って設けられることによって、前記発光源チップを囲う枠を前記突条とともに形成し、前記発光源チップから離間した囲み部と、前記囲み部の前記発光源チップ側の面に形成され、前記発光源チップによって発せられた光の反射を抑制する反射防止面と、を更に備えることを特徴とする請求項１に記載の車両用前照灯の光源装置である。
【０００８】
請求項３に係る発明は、前記反射面が白色の面であり、前記反射防止面が黒色の面であることを特徴とする請求項２に記載の車両用前照灯の光源装置である。
【０００９】
請求項４に係る発明は、前記基材上に凸状に設けられているとともに前記突条の両端を結ぶように前記基材に沿って設けられることによって、前記発光源チップを囲う枠を前記突条とともに形成し、前記発光源チップから離間した囲み部と、前記囲み部の前記発光源チップ側の面と前記発光源チップとの間に充填された遮光部と、を更に備えることを特徴とする請求項１に記載の車両用前照灯の光源装置である。
【００１０】
請求項５に係る発明は、前記反射面が白色の面であり、前記遮光部が母材に酸化チタンを分散させたものであることを特徴とする請求項４に記載の車両用前照灯の光源装置である。
【００１１】
請求項６に係る発明は、前記反射面が車両前照灯の光軸に関する径方向と平行である
前記発光源チップの光軸方向に向かって前記発光源チップを見ると、前記発光源チップが前記反射面に平行な辺を有した四角形に形成されていることを特徴とする請求項１から５の何れか一項に記載の車両用前照灯の光源装置である。
【００１２】
請求項７に係る発明は、請求項１から６の何れか一項に記載の車両用前照灯の光源装置と、前記発光源チップによって発せられた光を車両前方に配光することによってロービーム又はフォグビームを車両前方へ照射し、前記発光源チップによって発せられて前記反射面によって反射された光を車両前方に配光することによってオーバーヘッドサインの照明用のビームを車両前方へ照射する光学系と、を備えることを特徴とする車両用前照灯である。
【発明の効果】
【００１３】
本発明によれば、発光源チップから離れた突条のうち発光源チップ側の面に反射面が形成されているから、迷光となるような光をオーバーヘッドサインの照明用のビームとして有効利用することができる。それゆえ、迷光の削減を図ることができる。
また、その反射面によって反射された光をオーバーヘッドサインの照明用のビームとして利用するため、発光源チップによって発せられた直接光の一部をオーバーヘッドサインの照明に利用しなくても済む。それゆえ、前照灯の光学系をシンプルにすることができる。
【図面の簡単な説明】
【００１４】
【図１】本発明の第一実施形態に係る光源装置の斜視図である。
【図２】図１の見る方向とは別の方向から見た光源装置の斜視図である。
【図３】変形例に係る光源装置の斜視図である。
【図４】前記光源装置を用いた前照灯によって車両の前方の仮想スクリーンに形成される配光パターンの説明図である。
【図５】前記光源装置を用いたリフレクター型前照灯の断面図である。
【図６】前記光源装置を用いたプロジェクター型前照灯の断面図である。
【図７】前記光源装置を用いたダイレクトプロジェクション型前照灯の断面図である。
【図８】本発明の第二実施形態に係る光源装置の斜視図である。
【図９】前記光源装置を用いたリフレクター型前照灯の断面図である。
【図１０】前記光源装置を用いたリフレクター型前照灯の断面図である。
【図１１】前記光源装置を用いたリフレクター型前照灯の断面図である。
【図１２】前記光源装置を用いたリフレクター型前照灯の断面図である。
【発明を実施するための形態】
【００１５】
以下に、本発明を実施するための形態について図面を用いて説明する。但し、以下に述べる実施形態には、本発明を実施するために技術的に好ましい種々の限定が付されているので、本発明の技術的範囲を以下の実施形態及び図示例に限定するものではない。
【００１６】
〔第一の実施の形態〕
図１及び図２は、本発明の実施形態に係る前照灯用の光源装置１の斜視図である。
光源装置１はすれ違い用前照灯又は補助用前照灯に用いられることが好ましい。すれ違い用前照灯とは、車両の前方へロービームを照射するランプであり、補助用前照灯とは、車両の前方へフォグビーム（ロービームよりも左右の照射角が広く、上下の照射角が狭いビーム）を照射するランプである。
【００１７】
この光源装置１は基板（基材）１０、発光源チップ１１、枠部１２、反射面１３及び反射防止面１４〜１６等を備える。
【００１８】
基板１０は可撓性基板又は非可撓性基板である。基板１０は多層基板でもよいし、単層基板でもよい。例えば基板１０はプリント基板（例えば樹脂ベースプリント基板、金属ベースプリント基板、セラミックベースプリント基板）である。樹脂ベースプリント基板とは、樹脂を（紙、ガラス繊維、ガラス布等によって強化されてもよい）を基材とした基板である。金属ベースプリント基板とは、薄い金属基板（例えば、アルミ基板又は銅基板）をベースとした基板である。セラミックベースプリント基板とは、セラミック（焼成したグリーンシート）基材とした基板である。
【００１９】
発光源チップ１１の発光色（色温度）は特に限定されるものではないが、例えば白色である。発光源チップ１１がベアチップである場合には、そのベアチップの発光色が発光源チップ１１の発光色であり、発光源チップ１１がベアチップに蛍光体層をコーティングしたものである場合には、ベアチップの光と蛍光体層の蛍光を合成した色が発光源チップ１１の発光色である。
発光源チップ１１の配光は、ランバート配光であるか、又はランバート配光よりも指向性が高い若しくは低い配光である。なお、発光源チップ１１の表面にマイクロレンズが設けられ、そのマイクロレンズによって発光源チップ１１の配光特性が決められてもよい。
【００２０】
この発光源チップ１１は、基板１０上に表面実装されている。発光源チップ１１が基板１０上に直接実装されていてもよいし、発光源チップ１１がセラミック製のサブマウント基板に実装された上でサブマウント基板ごと基板１０上に実装されてもよい。
発光源チップ１１が横長に設けられており、発光源チップ１１の上から基板１０に対して垂直な方向（発光源チップ１１の光軸方向）へ向かって見た上面視において発光源チップ１１が長方形に形成されている。なお、発光源チップ１１は正方形に形作られてもよい。
発光源チップ１１は単一のチップからなるものでもよいし、隙間無く配列された複数のチップからなるものでもよい。何れの場合でも、発光源チップ１１が全体として長方形又は正方形に形成されている。
また、基板１０の表面１０ｃに配線１０ａ，１０ｂが形成（印刷）されており、配線１０ａ，１０ｂが発光源チップ１１のカソード及びアノードにそれぞれ接続されている。なお、配線１０ａ，１０ｂは基板１０の裏面、側面又は層間に形成されていてもよい。その場合には、配線１０ａ，１０ｂが基板１０に形成されたビアホール又はスルーホールを介して発光源チップ１１のカソード及びアノードにそれぞれ接続されている。
基板１０上には、発光源チップ１１のほかに素子（例えば、ダイオード、抵抗器、コンデンサ）１０ｅが表面実装されているが、これらの素子１０ｅを省略してもよい。
【００２１】
枠部１２が基板１０上に設けられており、枠部１２が基板１０の一方の面１０ｃから突出した状態に設けられている。枠部１２が発光源チップ１１を囲繞し、発光源チップ１１が枠部１２から離れた状態で枠部１２の内側に配置されている。枠部１２は４つの角が等しい四角形枠状に形作られ、より具体的には長方形枠状に形作られている。
【００２２】
枠部１２が第一突条１２ａ、第二突条１２ｂ、第三突条１２ｃ及び第四突条１２ｄを有し、これら第一突条１２ａ、第二突条１２ｂ、第三突条１２ｃ及び第四突条１２ｄが基板１０の表面１０ｃ上に凸状に設けられているとともに、その表面１０ｃに沿って条状に設けられている。突条１２ａ，１２ｂが互いに平行に設けられ、突条１２ｃ，１２ｄが互いに平行に設けられ、第三突条１２ｃの両端が第一突条１２ａの一端と第二突条１２ｂの一端にそれぞれ繋がり、第四突条１２ｄの両端が第一突条１２ａの一端と第二突条１２ｂの一端にそれぞれ繋がる。突条１２ａ，１２ｂが突条１２ｃ，１２ｄよりも長く、これら突条１２ａ，１２ｂ，１２ｃ，１２ｄによって枠部１２が長方形枠状に形成されている。なお、枠部１２が正方形枠状に形作られてもよい。この場合、第一突条１２ａ、第二突条１２ｂ、第三突条１２ｃ及び第四突条１２ｄは何れも長さが等しい。
ここで、第二突条１２ｂ、第三突条１２ｃ及び第四突条１２ｄによってＵ字（コ字）が形作られている。第二突条１２ｂ、第三突条１２ｃ及び第四突条１２ｄからなるＵ字型の囲み部の両端が第一突条１２ａの両端にそれぞれ繋がり、そのＵ字型の囲み部が第一突条１２ａの両端を結ぶように基板１０の表面１０ｃに沿って設けられることによって、発光源チップ１１を囲う枠部１２がその囲み部及び第一突条１２ａによって形成される。
枠部１２の長辺となる突条１２ａ，１２ｂが発光源チップ１１の長辺に対して平行である。なお、枠部１２の長辺となる突条１２ａ，１２ｂが発光源チップ１１の短辺に対して平行であってもよい。また、発光源チップ１１が正方形である場合、枠部１２の長辺となる突条１２ａ，１２ｂが発光源チップ１１の一方の対辺に対して平行である。
【００２３】
図１では、枠部１２のサイズが基板１０のサイズよりも小さい。但し、枠部１２のサイズが基板１０のサイズと等しく、枠部１２が基板１０の表面１０ｃの縁に沿っていてもよい。この場合、配線１０ａ，１０ｂが基板１０の裏面、側面又は層間に形成され、配線１０ａ，１０ｂが基板１０に形成されたビアホール又はスルーホールを介して発光源チップ１１のカソード及びアノードにそれぞれ接続されている。素子１０ｅは基板１０の裏面に実装されている。
【００２４】
枠部１２の内面には反射面１３及び反射防止面１４〜１６が形成されている。具体的には、反射面１３が第一突条１２ａの内側の面に形成され、反射防止面１４〜１６が第二突条１２ｂ、第三突条１２ｃ及び第四突条１２ｄの内側の面にそれぞれ形成されている。図１，図２において枠部１２の内面のうち模様を付した領域が反射防止面１４〜１６であり、模様が付されていない領域が反射面１３である。
【００２５】
反射防止面１４〜１６は、暗色塗装（例えば黒色塗装）のように暗色加工（例えば黒色加工）された面、暗色植毛加工（例えば、黒色植毛加工）、シボ加工又は艶消し加工等のような拡散反射面加工とともに暗色加工された面である。
【００２６】
反射面１３は、金属光沢性を有さない白色な面（必要に応じて、金属光沢以外の光沢加工がされてもよい）、鏡面加工されているとともに金属光沢性を有さない白色な面（必要に応じて、金属光沢以外の光沢加工がされてもよい）、気相成長法（例えば、蒸着法、スパッタリング法）又はメッキ法等のように薄膜金属膜の成長により金属光沢性を有した面である。
【００２７】
反射面１３は、平面又は曲面に形成されている。曲面の一例としては、第一突条１２ａに平行な母線を有した柱面状凹面（円柱面状凹面、楕円柱面状凹面、放物柱面状凹面等）が挙げられる。反射面１３が平面である場合、その反射面１３が基板１０の表面１０ｃに対して垂直であるか、表面１０ｃと反射面１３との成す角が鈍角となるように反射面１３が基板１０の表面１０ｃに対して傾斜する。
【００２８】
枠部１２の内側は空洞であるか、枠部１２の内側には透明な充填物（例えば、透明樹脂）が充填されている。後者の場合、発光源チップ１１がその充填物に埋め込まれて覆われている。
【００２９】
第一突条１２ａの高さが突条１２ｂ，１２ｃ，１２ｄの高さに等しく、反射面１３の高さが反射防止面１４〜１６の高さに等しい（図１〜図２参照）。又は、第一突条１２ａが突条１２ｂ，１２ｃ，１２ｄよりも突き出ており、第一突条１２ａが突条１２ｂ，１２ｃ，１２ｄよりも高く、反射面１３が反射防止面１４〜１６よりも高い（図３参照）。ここでいう高さとは、基板１０の表面１０ｃを基準とする。
【００３０】
反射面１３は、複数の平面若しくは曲面又はこれらの両方を組み合わせた複合面であるか（図３参照）、単一の面である（図１，図２参照）。図３では、反射面１３は柱面状凹面１３ａと柱面状凹面１３ｂを組み合わせた複合曲面である。なお、図３では反射面１３が反射防止面１４〜１６よりも高い上で、反射面１３が複合曲面となっているが、反射面１３の高さが反射防止面１４〜１６の高さに等しい上で、反射面１３が複合曲面となっていてもよい。
【００３１】
発光源チップ１１が発光して、発光源チップ１１によって発せられた光が配光（空間的に配分）される。発光源チップ１１によって発せられた光のうち反射防止面１４〜１６に入射する光は反射防止面１４〜１６によって殆ど反射されず、その光の反射が抑制・防止され、迷光を防止することができる。発光源チップ１１によって発せられた光のうち反射面１３に入射する光が反射面１３によって反射される。
【００３２】
この光源装置１は車両用前照灯に用いられるものであり、その車両用前照灯はこの光源装置１及び光学系を備える。光学系は、発光源チップ１１によって発せれた光を車両前方に配光することによって、ロービーム又はフォグビームを車両前方に照射する。また、光学系は、反射面１３によって反射された光を車両前方に配光することによって、オーバーヘッドサイン（車両前方の上の標識）の照明用のビームを車両前方に照射する。
【００３３】
図４は、光源装置１及び光学系を備える車両用前照灯によって仮想スクリーンに形成される配光パターンを示した図である。仮想スクリーンは、車両用前照灯から所定距離だけ離れて車両用前照灯に正対する面である。車両用前照灯（特に、光学系）の光軸は仮想スクリーンの原点Ｏにおいて仮想スクリーンに直交し、Ｈ線が原点Ｏにおいて車両用前照灯の光軸に直交する水平線であり、Ｖ線が原点Ｏにおいて車両用前照灯の光軸に直交する鉛直線である。
【００３４】
図４に示す明部Ｂ１はロービームによって形成されるものである。明部Ｂ１は、発光源チップ１１によって発せれた光が光学系によって車両前方に配光されることによって仮想スクリーンに形成される。この明部Ｂ１の上縁には、明部Ｂ１とそれよりも上の暗部を区切るカットオフライン（明暗境界線）Ｃが形成される。明部Ｂ１が左右非対称であり、カットオフラインＣが左右段違いとなっている。つまり、Ｖ線よりも自車線側ではカットオフラインＣがＨ線に重なり、Ｖ線よりも対向車線側ではカットオフラインＣがＨ線の僅か下においてＨ線に沿って形成される。図４に示す明部Ｂ１は車両用前照灯が左側走行用のものであり、右側走行用の車両用前照灯の場合の明部は図４に示す明部Ｂ１を左右反転させたものである。なお、車両用前照灯の光学系を設計変更することによって、明部Ｂ１を左右対称に、カットオフラインＣ全体をＨ線に重ねるか、カットオフラインＣ全体をＨ線の僅か下においてＨ線に対して平行にしてもよい。
【００３５】
明部Ｂ１がフォグビームによって形成される場合、図４に示す場合よりも左右に広がって、上下に狭くなり、カットオフラインＣが左右対称であり、そのカットオフラインＣがＨ線の下においてＨ線に対して平行である。
【００３６】
明部Ｂ２は、反射面１３によって反射された光が光学系によって車両前方に配光されることによって仮想スクリーンに形成される。明部Ｂ２はＨ線の上に形成され、その明部Ｂ２がＶ線を左右に跨ぐ。この明部Ｂ２は明部Ｂ１よりも暗い。
【００３７】
図３に示すように反射面１３が柱面状凹面１３ａ，１３ｂからなる複合反射面である場合、柱面状凹面１３ａによって反射された光が光学系によって配光されることによって明部Ｂ２が形成され、柱面状凹面１３ｂによって反射された光が光学系によって配光されることによって明部Ｂ３が形成されてもよい。明部Ｂ３はＨ線よりも下に形成される明部であり、その明部Ｂ３は明部Ｂ１よりも左右に広がっている。勿論、柱面状凹面１３ａ，１３ｂによって反射された光が光学系によって配光されることによって明部Ｂ２が形成され、明部Ｂ３が形成されなくてもよい。
【００３８】
光学系によって車両用前照灯を分類すると、前照灯にはリフレクター型ランプ、プロジェクター型ランプ及びダイレクトプロジェクション型ランプ等があり、この光源装置１はこれら何れの種類の前照灯にも用いることができる。図５〜図７を参照して、これらの前照灯について説明する。ここで、図５〜図７は、前照灯の光軸を含む鉛直面に沿った断面図である。
【００３９】
リフレクター型ランプとは、図５に示すように、光源装置１の発光源チップ１１により発せられた光を放物面系リフレクター（特に、放物面系マルチリフレクター）４０により前方に反射することによってその反射光を配光して、その反射光によるロービーム又はフォグビームを前方に照射するランプである。発光源チップ１１によって発せられて反射面１３によって反射された光も放物面系リフレクター４０によって前方に反射され、それによりオーバーヘッドサインの照明用のビームが車両前方へ照射される。放物面系リフレクター４０は、前後方向に延びる回転対称軸（前照灯の光軸）を中心として放物線（その放物線は前照灯の光軸を含む鉛直面に描かれた放物線であり、その焦点が発光源チップ１１又はその近傍に設定されている。）を回転して得られる回転放物面を基調とする。発光源チップ１１は放物面系リフレクター４０の回転対称軸の径方向（例えば、上方）に向けられ、放物面系リフレクター４０が発光源チップ１１の向く側から発光源チップ１１を覆うように設けられている。また、反射面１３は放物面系リフレクター４０の回転対称軸（前照灯の光軸）の径方向（特に左右方向）に対して平行であり、発光源チップ１１の一辺（特に、発光源チップ１１が長方形である場合、その長辺）も放物面系リフレクター４０の回転対称軸の径方向（特に左右方向）に対して平行である。
【００４０】
プロジェクター型ランプとは、図６に示すように、光源装置１の発光源チップ１１により発せられた光を楕円面系リフレクター５０により前方に反射してその反射光を投影レンズ（凸レンズ）５２により前方に投影することによってその投影光を配光して、その投影光によるロービーム又はフォグビームを前方に照射するものである。必要に応じて、伏せた状態に設けられた遮光板５１の前縁（又は、立てた状態に設けられた遮光板の上縁）が投影レンズ５２の焦点近傍に配置され、楕円面系リフレクター５０によって反射された光の一部が遮光板５１によって遮光され、遮光板５１の前縁（又は上縁）の形状がカットオフラインＣとして投影される。発光源チップ１１によって発せられて反射面１３によって反射された光は、楕円面系リフレクター及び投影レンズの両方を用いて車両前方に配光されるか、これらのうち一方を用いて車両用前方に配光される。これにより、オーバーヘッドサインの照明用のビームが車両前方へ照射される。楕円面系リフレクター５０は、前後方向に延びる回転対称軸（前照灯の光軸）を中心として楕円曲線（その楕円曲線は前照灯の光軸を含む鉛直面に描かれた楕円曲線であり、後ろ側の第一焦点が発光源チップ１１又はその近傍に設定され、前側の第二焦点は投影レンズ５２の焦点又はその近傍に設定されている。）を回転して得られる回転楕円面を基調とする。発光源チップ１１は上又は下に向けられ、楕円面系リフレクター５０が発光源チップ１１の向く側から発光源チップ１１を覆うように設けられ、投影レンズ５２が発光源チップ１１の前方に配置され、投影レンズ５２の焦点が楕円面系リフレクター５０の前側の第二焦点又はその近傍に設定されている。また、反射面１３は投影レンズ５２の光軸（前照灯の光軸）の径方向（特に左右方向）に対して平行であり、発光源チップ１１の一辺（特に、発光源チップ１１が長方形である場合、その長辺）も投影レンズ５２の光軸（前照灯の光軸）の径方向（特に左右方向）に対して平行である。
【００４１】
ダイレクトプロジェクション型ランプとは、図７に示すように、光源装置１の発光源チップ１１により発せられた光を投影レンズ（凸レンズ）６０により前方に投影することによってその投影光を配光して、その投影光によるロービーム又はフォグビームを前方に照射するものである。発光源チップ１１によって発せられて反射面１３によって反射された光も投影レンズ６０によって前方に投影され、それによりオーバーヘッドサインの照明用のビームが車両前方へ照射される。発光源チップ１１が前に向けられ、投影レンズ６０が発光源チップ１１の前に配置され、投影レンズ６０の焦点が発光源チップ１１又はその近傍に設定されている。また、反射面１３は投影レンズ６０の光軸（前照灯の光軸）の径方向（特に左右方向）に対して平行であり、発光源チップ１１の一辺（特に、発光源チップ１１が長方形である場合、その長辺）も投影レンズ６０の光軸（前照灯の光軸）の径方向（特に左右方向）に対して平行である。
【００４２】
以上の実施の形態によれば、次のような効果を奏する。
（１）  反射防止面１４〜１６が発光源チップ１１の周囲に設けられた枠部１２のうち突条１２ｂ，１２ｃ，１２ｄにそれぞれ形成されているから、迷光を防止することができる。
【００４３】
（２）  反射面１３が発光源チップ１１の周囲に設けられた枠部１２のうち第一突条１２ａに形成されているから、迷光になるような光をオーバーヘッドサインの照明用のビームとして有効利用することができる。それゆえ、迷光の削減を図ることができる。
【００４４】
（３）  反射面１３に入射する光は、発光源チップ１１の正面方向への光よりも低強度である。よって、オーバーヘッドサインの照明用のビームが明るくなりすぎず、適度な明るさとなり、対向車の乗員に眩惑感を与えない。
【００４５】
（４）  反射面１３によって反射された光をオーバーヘッドサインの照明用のビームとして利用するから、発光源チップ１１によって発せられた直接光の一部をオーバーヘッドサインの照明に利用しなくても済む。よって、前照灯の光学系をシンプルにすることができる。つまり、発光源チップ１１によって発せられた直射光の一部をオーバーヘッドサイン照明用として配光させる光学要素を前照灯の光学系に設けなくても済む。
【００４６】
〔第二の実施の形態〕
図８は、本発明の実施形態に係る車両用前照灯の光源装置１Ａの斜視図である。第二実施形態の光源装置１Ａと第一実施形態の光源装置１との間で互いに対応する部分に同一の符号を付す。第二実施形態の光源装置１Ａについては、第一実施形態の光源装置１から変更した部分の説明をする。
【００４７】
図８に示すように、枠部１２の内側のうち、第二突条１２ｂ、第三突条１２ｃ及び第四突条１２ｄの内側の面と発光源チップ１１との間に領域には、遮光部１７が充填されている。そのため、発光源チップ１１の外周面のうち、これら突条１２ｂ，１２ｃ，１２ｄに対向する面は、遮光部１７によって覆われている。遮光部１７は、発光源チップ１１によって発せられた光を遮光するものである。遮光部１７は母材（例えば、樹脂）に酸化チタンを分散させたものであり、この酸化チタンによって遮光部１７の遮光性が向上する。第一突条１２ａと発光源チップ１１との間の領域１８は空洞とされているか、透明な材料が充填されている。
第二突条１２ｂ、第三突条１２ｃ及び第四突条１２ｄの内側の面に反射防止面１４〜１６が形成されていてもよいし、形成されていなくてもよい。
【００４８】
以上説明したことを除いて、第二実施形態の光源装置１Ａと第一実施形態の光源装置１との間で互いに対応する部分は同様に設けられている。そして、第一実施形態の光源装置１と同様に、この光源装置１Ａも車両用前照灯に利用される。つまり、図５〜図７に示す光源装置１に代えて光源装置１Ａを設置すれば、車両用前照灯が構成される。何れの場合でも、反射面１３によって反射された光がオーバーヘッドの照明のビームに利用され、その光による明部Ｂ２（図４参照）が仮想スクリーンに形成される。一方、発光源チップ１１によって発せられた光の一部が遮光部１７によって遮光されるから、迷光の発生を防止することができる。
【００４９】
〔応用例１〕
図９は、光源装置１を用いたリフレクター型ランプの断面図である。図９に示すように、灯具光軸を含む鉛直断面において、放物面系リフレクター４０は発光源チップ１１の中心と第一突条１２ａの上縁とを結ぶ直線Ｌ１と交差する位置まで及んでおり、直線Ｌ１と発光源チップ１１の光軸Ａｘとの成す角度αは７０°である。また、第一突条１２ａ及び反射面１３の高さが突条１２ｂ，１２ｃ，１２ｄ及び反射防止面１４〜１６の高さに等しい。反射面１３は、シリンドリカル凹面である。なお、図９において、光源装置１の代わりに光源装置１Ａを用いてもよい。
【００５０】
〔応用例２〕
図１０は、光源装置１を用いたリフレクター型ランプの断面図である。図１０に示すように、第一突条１２ａ及び反射面１３が第二突条１２ｂ及び反射防止面１４よりも高い。そして、灯具光軸を含む鉛直断面において、発光源チップ１１の中心と第一突条１２ａの上縁と放物面系リフレクター４０の前縁とを結ぶ直線Ｌ１と、発光源チップ１１の光軸Ａｘとの成す角度αは４５°である。発光源チップ１１の中心と第二突条１２ｂの上縁とを結ぶ直線Ｌ３と、発光源チップ１１の光軸との成す角度βは７０°である。反射面１３がシリンドリカル凹面であり、反射面１３によって反射された光が放物面系リフレクター４０に入射すると、その放物面系リフレクター４０の表面には明るいスポット４９が形成されるが、そのスポット４９の直径は０．２ｍｍである。なお、図１０において、光源装置１の代わりに光源装置１Ａを用いてもよい。
【００５１】
〔応用例３〕
図１１は、光源装置１を用いたリフレクター型ランプの断面図である。図１０と図１１を対比すると明らかなように、図１１における第一突条１２ａ及び反射面１３は図１０における第一突条１２ａ及び反射面１３よりも高い。そして、図１１に示すように、灯具光軸を含む鉛直断面において、発光源チップ１１の中心と第一突条１２ａの上縁と放物面系リフレクター４０の前縁とを結ぶ直線Ｌ１と、発光源チップ１１の光軸Ａｘとの成す角度αは２０°である。発光源チップ１１の中心と第二突条１２ｂの上縁とを結ぶ直線Ｌ３と、発光源チップ１１の光軸との成す角度βは７０°である。反射面１３がシリンドリカル凹面であり、反射面１３によって反射された光が放物面系リフレクター４０に入射すると、その放物面系リフレクター４０の表面には明るいスポット４９が形成されるが、そのスポット４９の直径は０．２ｍｍである。なお、図１１において、光源装置１の代わりに光源装置１Ａを用いてもよい。
【００５２】
〔応用例４〕
図１２は、光源装置１を用いたリフレクター型ランプの断面図である。図１２に示すように、第一突条１２ａ及び反射面１３が第二突条１２ｂ及び反射防止面１４よりも高い。そして、反射面１３が柱面状凹面１３ａ，１３ｂからなる複合反射面であり、柱面状凹面１３ａによって反射された光が放物面系リフレクター４０によって配光されることによって明部Ｂ２（図４参照）が形成され、柱面状凹面１３ｂによって反射された光が放物面系リフレクター４０によって配光されることによって明部Ｂ３（図４参照）が形成される。なお、図１２において、光源装置１の代わりに光源装置１Ａを用いてもよい。
【符号の説明】
【００５３】
１，１Ａ  光源装置
１０  基板（基材）
１１  発光源チップ
１２  枠部
１２ａ  第一突条
１２ｂ  第二突条（囲み部の一部）
１２ｃ  第三突条（囲み部の一部）
１２ｄ  第四突条（囲み部の一部）
１３  反射面
１４，１５，１６  反射防止面
１７  遮光部
４０，５０  リフレクター（光学系）
５２，６０  投影レンズ（光学系）
【図１】
2015185312.tif 000003
【図２】
2015185312.tif 000004
【図３】
2015185312.tif 000005
【図４】
2015185312.tif 000006
【図５】
2015185312.tif 000007
【図６】
2015185312.tif 000008
【図７】
2015185312.tif 000009
【図８】
2015185312.tif 000010
【図９】
2015185312.tif 000011
【図１０】
2015185312.tif 000012
【図１１】
2015185312.tif 000013
【図１２】
2015185312.tif 000014